(57)【要約】【課題】テストモードによらずに、無線デバイスを試験可能な試験システムあるいはインタフェースユニットを提供する。【解決手段】試験システム１００は、無線デバイスであるＤＵＴ２を試験する。ゴールデンデバイス１１０は、ＤＵＴ２との間で双方向通信する。測定器１２０は、少なくともＤＵＴ２の出力ＳＤＵＴを含む第１信号Ｓ１を取り込む。インタフェースユニット２００は、ゴールデンデバイス１１０の出力ＳＧＤとＤＵＴ２の出力ＳＤＵＴの少なくとも一方を含む第２信号Ｓ２を監視し、所定の波形パターンが現れたことに応答して、測定器１２０による信号の取り込みを指示するトリガー信号ＴＲＩＧを生成する。【選択図】図１
2020139870.tif 000002
【特許請求の範囲】
【請求項１】
無線デバイスである被試験デバイスを試験する試験システムであって、
前記被試験デバイスとの間で双方向通信するゴールデンデバイスと、
少なくとも前記被試験デバイスの出力を含む第１信号を取り込む測定器と、
前記ゴールデンデバイスの出力と前記被試験デバイスの出力の少なくとも一方を含む第２信号を監視し、所定の波形パターンが現れたことに応答して、前記測定器による信号の取り込みを指示するトリガー信号を生成するインタフェースユニットと、
を備えることを特徴とする試験システム。
【請求項２】
前記第２信号は、前記ゴールデンデバイスの出力のみを含むことを特徴とする請求項１に記載の試験システム。
【請求項３】
前記インタフェースユニットは、
前記ゴールデンデバイスの出力を、前記被試験デバイスに向かう経路と別経路とに分岐する分波器と、
前記別経路に生ずる前記第２信号を検波する検波器と、
前記検波器の出力に応じて前記トリガー信号を生成するトリガー発生器と、
を備えることを特徴とする請求項１または２に記載の試験システム。
【請求項４】
前記ゴールデンデバイスと前記被試験デバイスはコモンパスを介して、双方向通信を行い、
前記分波器は、前記コモンパスに設けられた方向性結合器であることを特徴とする請求項３に記載の試験システム。
【請求項５】
前記インタフェースユニットは、前記検波器の出力を二値化するコンパレータをさらに備え、
前記トリガー発生器は、前記コンパレータの出力にもとづいて、所定の期待波形を検出することを特徴とする請求項３または４に記載の試験システム。
【請求項６】
前記測定器は、前記コモンパスから分岐するサブパスと接続されることを特徴とする請求項５に記載の試験システム。
【請求項７】
前記測定器は、さらに、前記方向性結合器により分岐された前記第２信号を利用して、前記ゴールデンデバイスの出力のみを含む第３信号を取り込むことを特徴とする請求項６に記載の試験システム。
【請求項８】
前記測定器は、
ＲＦ帯域の測定対象の信号を、低い周波数に変換するアナライザと、
前記アナライザの出力をデジタル信号に変換するデジタイザと、
を含むことを特徴とする請求項１から７のいずれかに記載の試験システム。
【請求項９】
前記ゴールデンデバイスを制御するとともに、前記測定器の出力を取得するテスターコントローラをさらに備えることを特徴とする請求項１から８のいずれかに記載の試験システム。
【請求項１０】
有線信号を用いて試験することを特徴とする請求項１から９のいずれかに記載の試験システム。
【請求項１１】
前記インタフェースユニットは、１枚のボード上に実装されることを特徴とする請求項１から１０のいずれかに記載の試験システム。
【請求項１２】
無線デバイスである被試験デバイスを試験する試験システムに使用されるインタフェースユニットであって、
前記試験システムは、
前記被試験デバイスとの間で双方向通信するゴールデンデバイスと、
少なくとも前記被試験デバイスの出力を含む第１信号を取り込む測定器と、
を備え、
前記インタフェースユニットは、
前記ゴールデンデバイスと前記被試験デバイスの間を伝送する信号の一部を取り出す分波器と、
前記分波器により取り出された信号を検波する検波器と、
前記検波器の出力にもとづいて、前記測定器による信号の取り込みを指示するトリガー信号を生成するタイミング発生器と、
を備えることを特徴とするインタフェースユニット。
【請求項１３】
前記ゴールデンデバイスと前記被試験デバイスはコモンパスを介して、双方向通信を行い、
前記分波器は、前記コモンパスに設けられた方向性結合器であることを特徴とする請求項１２に記載のインタフェースユニット。
【発明の詳細な説明】
【技術分野】
【０００１】
本発明は、無線デバイスの試験技術に関する。
【背景技術】
【０００２】
無線ＬＡＮ（Local Area Network）、Ｂｌｕｅｔｏｏｔｈ（登録商標）、ＺｉｇＢｅｅ（登録商標）などの通信手段を備える無線デバイスが普及している。これらの無線デバイスは出荷前に試験装置によって試験される。無線デバイスの試験は、パス、フェイルを判定する機能試験と、性能を測定するパラメトリック試験に分けられる。パラメトリック試験では、被試験デバイスの出力パワー、歪み、ビットエラーレートなどが評価される。
【０００３】
通常の動作モードにおいて、無線デバイスの出力信号は間欠的に発生する。このように間欠動作する無線デバイスを試験する方法としては、以下のアプローチが考えられる。ひとつは、無線デバイスの出力信号の発生の有無にかかわらず、長い期間にわたり、無線デバイスの出力信号を取り込み続け、取り込んだ信号を評価するものである。一般的に、無線デバイスの通信周期は数百ｍｓ〜数秒と長いため、このアプローチでは、波形取り込み用に膨大なメモリが必要となり、コストが増大する。
【０００４】
別のアプローチは、無線デバイスに、テストモードを実装するものである。テストモードにおいて無線デバイスは、評価に必要な信号を連続的に、あるいは短時間に集中して発生する。これにより、無線デバイスの出力信号を所定の短時間にわたり取り込めばよいため、波形取り込みのメモリの容量を削減できる。
【発明の概要】
【発明が解決しようとする課題】
【０００５】
ところが、必ずしもすべての無線デバイスがテストモードをサポートしているわけではない。またテストモードにおける無線デバイスと、通常動作モードにおける無線デバイスとでは、電気的状態、物理的状態が必ずしも同じであるとは言えないことから、テストモードをサポートしていたとしても、テストモードではなく、通常動作モードの状態で、無線デバイスを試験したいという要請がある。
【０００６】
本発明は係る状況においてなされたものであり、そのある態様の例示的な目的のひとつは、テストモードによらずに、無線デバイスを試験可能な試験システムあるいはインタフェースユニットの提供にある。
【課題を解決するための手段】
【０００７】
本発明のある態様は、無線デバイスである被試験デバイスを試験する試験システムに関する。試験システムは、被試験デバイスとの間で双方向通信するゴールデンデバイスと、少なくとも被試験デバイスの出力を含む第１信号を取り込む測定器と、ゴールデンデバイスと被試験デバイスの間の信号を監視し、所定の波形パターンが現れたことに応答して、測定器による信号の取り込みを指示するトリガー信号を生成するインタフェースユニットと、を備える。
【０００８】
本発明の別の態様は、無線デバイスである被試験デバイスを試験する試験システムに使用されるインタフェースユニットに関する。試験システムは、被試験デバイスとの間で双方向通信するゴールデンデバイスと、少なくとも被試験デバイスの出力を含む第１信号を取り込む測定器と、を備える。インタフェースユニットは、ゴールデンデバイスと被試験デバイスの間を伝送する信号の一部を取り出す分波器と、分波器により取り出された信号を検波する検波器と、検波器の出力にもとづいて、測定器による信号の取り込みを指示するトリガー信号を生成するタイミング発生器と、を備える。
【０００９】
なお、以上の構成要素の任意の組み合わせや本発明の構成要素や表現を、方法、装置などの間で相互に置換したものもまた、本発明の態様として有効である。
【発明の効果】
【００１０】
本発明のある態様によれば、テストモードによらずに、無線デバイスを試験できる。
【図面の簡単な説明】
【００１１】
【図１】実施の形態に係る試験システムの基本構成を示すブロック図である。
【図２】図１の試験システムの動作波形図である。
【図３】実施例１に係る試験システムのブロック図である。
【図４】図３の試験システムの動作を説明する図である。
【図５】Ｗｉ−Ｆｉに準拠したＤＵＴの試験を説明する図である。
【図６】実施例２に係る試験システムのブロック図である。
【発明を実施するための形態】
【００１２】
（実施の形態の概要）
本明細書に開示される一実施の形態は、無線デバイスである被試験デバイスを試験する試験システムに関する。試験システムは、被試験デバイスとの間で双方向通信するゴールデンデバイスと、少なくとも被試験デバイスの出力を含む第１信号を取り込む測定器と、ゴールデンデバイスと被試験デバイスの間の信号を監視し、所定の波形パターンが現れたことに応答して、測定器による信号の取り込みを指示するトリガー信号を生成するインタフェースユニットと、を備える。
【００１３】
ゴールデンデバイスと被試験デバイスの間の信号には、無線デバイスが準拠する通信プロトコルにしたがった波形パターンが発生する。そこでこの信号を監視し、所定の波形パターンの発生にもとづいてトリガー信号を生成することにより、無線デバイスの評価に必要な信号を無駄なく取り込むことができる。
【００１４】
インタフェースユニットは、ゴールデンデバイスの出力のみにもとづいて、トリガー信号を生成してもよい。被試験デバイスは正常に動作するか不明である反面、ゴールデンデバイスは正常に動作することが保証されている。そこでゴールデンデバイスの出力の波形をパターンマッチングすることで、波形取り込みのトリガーを正確に生成できる。
【００１５】
インタフェースユニットは、ゴールデンデバイスの出力を、被試験デバイスに向かう経路と別経路とに分岐する分波器と、別経路の信号を検波する検波器と、検波器の出力に応じてトリガー信号を生成するトリガー発生器と、を備えてもよい。
【００１６】
インタフェースユニットは、検波器の出力を二値化するコンパレータをさらに備えてもよい。トリガー発生器は、コンパレータの出力に応じて、所定のバースト波形を検出してもよい。
【００１７】
ゴールデンデバイスと被試験デバイスはコモンパスを介して、双方向通信を行ってもよい。分波器は、コモンパスに設けられた方向性結合器であってもよい。
【００１８】
測定器は、コモンパスから分岐するサブパスと接続されてもよい。これにより、被試験デバイスの出力とゴールデンデバイスの出力の両方を同時に取得できる。
【００１９】
測定器は、さらに、方向性結合器により分岐された信号を利用して、ゴールデンデバイスの出力のみを含む第２信号を取り込んでもよい。第１信号と第２信号の差分をとることにより、被試験デバイスの出力のみを取り出すことができる。
【００２０】
測定器は、ＲＦ帯域の測定対象の信号を低い周波数に変換するアナライザと、アナライザの出力をデジタル信号に変換するデジタイザと、を含んでもよい。
【００２１】
試験システムは、ゴールデンデバイスを制御するとともに、測定器の出力を取得するテスターコントローラをさらに備えてもよい。
【００２２】
試験システムは、有線信号を用いて試験してもよい。
【００２３】
インタフェースユニットは、１枚のボード上に実装されてもよい。インタフェースユニットを、既存の試験システムに追加することで、テストモードによらずに、被試験デバイスの評価が可能となる。
【００２４】
（実施の形態）
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２５】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００２６】
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００２７】
図１は、実施の形態に係る試験システム１００の基本構成を示すブロック図である。試験システム１００は、無線デバイスであるＤＵＴ２を試験する。試験システム１００は、ゴールデンデバイス１１０、測定器１２０およびインタフェースユニット２００を備える。
【００２８】
ゴールデンデバイス１１０は、ＤＵＴ２との間で双方向通信する。本来的にはゴールデンデバイス１１０およびＤＵＴ２の間の通信は無線であるが、試験に際しては、無線であってもよいし、有線であってもよい。ゴールデンデバイス１１０の出力信号をＳＧＤ、ＤＵＴ２の出力信号をＳＤＵＴとする。ＤＵＴ２とゴールデンデバイス１１０の通信経路をコモンチャンネル１０２と称する。
【００２９】
測定器１２０は、少なくともＤＵＴ２の出力ＳＤＵＴを含む第１信号Ｓ１を取り込み可能に構成される。
【００３０】
インタフェースユニット２００は、ゴールデンデバイス１１０の出力ＳＧＤとＤＵＴ２の出力ＳＤＵＴの少なくとも一方を含む第２信号Ｓ２を監視し、所定の波形パターンが現れたことに応答して、測定器１２０による信号の取り込みを指示するトリガー信号ＴＲＩＧを生成する。なお、ここでの波形パターンとは、ＲＦ（Radio Frequency）帯域の波形ではなく、ＲＦ信号の包絡線であることに留意されたい。
【００３１】
第２信号Ｓ２は、ゴールデンデバイス１１０の出力ＳＧＤのみを含むことが望ましい。この理由のひとつは、ゴールデンデバイス１１０とＤＵＴ２の間の通信が、ゴールデンデバイス１１０の主導により開始することによる。また別の理由は、ＤＵＴ２は正常動作するか不明であるのに対して、ゴールデンデバイス１１０は正常動作することが保証されており、ゴールデンデバイス１１０は、規格で定まるプロトコルに準拠した波形パターンを有する信号ＳＧＤを生成することが期待されるからである。
【００３２】
測定器１２０は、このトリガー信号ＴＲＩＧに応答して、第１信号Ｓ１の取り込みを開始する。試験システム１００は、測定器１２０が取り込んだ信号にもとづいて、ＤＵＴ２の性能を評価する。
【００３３】
以上が試験システム１００の基本構成である。続いてその動作を説明する。図２は、図１の試験システム１００の動作波形図である。時刻ｔ０に試験がスタートする。Ｓ０は、コモンチャンネル１０２を伝送する双方向信号を示す。双方向信号Ｓ０には、ゴールデンデバイス１１０の出力ＳＧＤと、ＤＵＴ２の出力ＳＤＵＴの両方の成分が含まれている。インタフェースユニット２００は、ゴールデンデバイス１１０の出力ＳＧＤのみを含む第２信号Ｓ２を監視し、監視波形ＷＡＶにもとづいて、トリガー信号ＴＲＩＧを生成する。その限りでないが、監視波形ＷＡＶは、第２信号Ｓ２の包絡線を用いることができる。具体的には、監視波形ＷＡＶが、その期待波形ＷＡＶ＿ＥＸＰと比較される。期待波形ＷＡＶ＿ＥＸＰは、ＤＵＴ２が準拠する無線通信の規格にもとづいて規定することができる。
【００３４】
時刻ｔ１にパターンマッチが検出されると、直ちに、あるいはそれから所定時間の経過後の時刻ｔ２に、トリガー信号ＴＲＩＧがアサートされる。これにより、時刻ｔ２以降の第１信号Ｓ１（図２には不図示）を、測定器１２０によって取り込むことができる。
【００３５】
以上が試験システム１００の動作である。この試験システム１００によれば、所定の波形パターンの発生にもとづいてトリガー信号ＴＲＩＧを生成することにより、ＤＵＴ２の評価に必要な信号を無駄なく取り込むことができる。
【００３６】
本発明は、図１のブロック図として把握され、あるいは上述の説明から導かれるさまざまな装置、方法に及ぶものであり、特定の構成に限定されるものではない。以下、本発明の範囲を狭めるためではなく、発明の本質や動作の理解を助け、またそれらを明確化するために、より具体的な構成例や実施例を説明する。
【００３７】
（実施例１）
図３は、実施例１に係る試験システム１００Ａのブロック図である。ＤＵＴ２、ゴールデンデバイス１１０はそれぞれ、出力を有線で取り出すことが可能に構成され、ＤＵＴ２とゴールデンデバイス１１０は有線のコモンパス１０４を介して接続される。コモンパス１０４は、図１のコモンチャンネルに相当する。試験システム１００Ａは、有線信号にもとづいてＤＵＴ２を試験する。
【００３８】
試験システム１００Ａは、ゴールデンデバイス１１０、測定器１２０、インタフェースユニット２００Ａ、分配器１５０、テスターコントローラ１６０を備える。
【００３９】
インタフェースユニット２００Ａは、ＤＵＴ２とゴールデンデバイス１１０の間に設けられており、１枚のボードに実装される。インタフェースユニット２００Ａは、分波器２１０、検波器２２０、コンパレータ２２２、トリガー発生器２３０を備える。
【００４０】
分波器２１０はコモンパス１０４上に設けられており、コモンパス１０４を伝搬する双方向信号Ｓ０に含まれる２つの信号ＳＧＤ，ＳＤＵＴのうち、信号ＳＧＤの一部のみを含む第２信号Ｓ２を、コモンパス１０４とは別経路に分岐させる。言い換えれば分波器２１０は、ゴールデンデバイス１１０の出力信号ＳＧＤを、ＤＵＴ２に向かう経路と別経路とに分岐する。分波器２１０は、一方のポートＡから他方のポートＢに伝搬する信号のみを抽出し、ポートＣから出力する方向性結合器を用いることができる。
【００４１】
検波器２２０は、第２信号Ｓ２を検波し、波形ＷＡＶを生成する。トリガー発生器２３０は、第２信号Ｓ２にもとづいてトリガー信号ＴＲＩＧを生成する。検波器２２０の後段には、波形ＷＡＶをしきい値と比較して、ハイ・ロー二値のパターン信号ＰＡＴに変換するコンパレータ２２２を設けてもよい。この場合、トリガー発生器２３０は、ハイ・ローの二値信号のパターン信号ＰＡＴを、期待波形ＰＡＴ＿ＥＸＴと比較し、トリガー信号ＴＲＩＧを生成することができる。この場合、振幅情報を考慮せずに、時間軸方向のハイ・ローの遷移波形のみにもとづいて、パターンマッチングを行うことができる。たとえばトリガー発生器２３０は、パターン信号ＰＡＴのハイ区間および／またはロー区間の長さを測定するタイマー回路を含むことができる。トリガー信号ＴＲＩＧは、トリガー出力ピンＴＲＩＧ＿ＯＵＴを介して測定器１２０に供給される。
【００４２】
サブパス１０６は、分配器１５０を介してコモンパス１０４と接続されており、サブパス１０６には、ＤＵＴ２の出力ＳＤＵＴとゴールデンデバイス１１０の出力ＳＧＤの両方を含む双方向信号Ｓ０に応じた第１信号Ｓ１が発生する。なお分配器１５０は、インタフェースユニット２００に内蔵されてもよい。
【００４３】
測定器１２０は、サブパス１０６と接続され、ＤＵＴ２の出力ＳＤＵＴとゴールデンデバイス１１０の出力ＳＧＤの両方を含む第１信号Ｓ１を取り込む。
【００４４】
測定器１２０は、ベクトルシグナルアナライザ１３０とベースバンド波形デジタイザ１４０を含む。ベクトルシグナルアナライザ１３０は、ＲＦ帯域の第１信号Ｓ１を、ベースバンド帯域のベースバンド信号ＳＢＢに周波数変換（ダウンコンバージョン）する。ベースバンド波形デジタイザ１４０は、ダウンコンバージョンされたベースバンド信号ＳＢＢをサンプリングし、デジタル信号に変換する。測定器１２０は、外部トリガー端子ＥＸＴ＿ＴＲＩＧを備える。ベースバンド波形デジタイザ１４０は、外部トリガー端子ＥＸＴ＿ＴＲＩＧに入力されるトリガー信号ＴＲＩＧにもとづいて、ベースバンド信号ＳＢＢの取り込みを開始する。
【００４５】
テスターコントローラ１６０は、ゴールデンデバイス１１０を制御するとともに、測定器１２０の出力を取得する。
【００４６】
以上が試験システム１００Ａの構成である。図４は、図３の試験システム１００Ａの動作を説明する図である。分波器２１０によって、ゴールデンデバイス１１０の出力ＳＧＤのみを含む第２信号Ｓ２が生成される。第２信号Ｓ２は検波器２２０によって包絡線検波され、監視波形ＷＡＶが生成される。コンパレータ２２２は、監視波形ＷＡＶをしきい値ＴＨと比較し、ハイ・ロー２値のデジタルのパターン信号ＰＡＴに変換する。
【００４７】
試験システム１００Ａの動作をＷｉ−Ｆｉ（登録商標）を例に説明する。図５は、Ｗｉ−Ｆｉに準拠したＤＵＴ２の試験を説明する図である。図５には、上から順に、ゴールデンデバイス１１０の出力ＳＧＤ、ＤＵＴ２の出力ＳＤＵＴ、２つの出力ＳＧＤ，ＳＤＵＴを含む双方向信号Ｓ０の波形が示される。波形は、検波して２値化した場合の簡略化したパターンとして示す。ゴールデンデバイス１１０は、Ｗｉ−Ｆｉルータ（アクセスポイント）である。
【００４８】
ゴールデンデバイス１１０は、所定の期間にわたり、ビーコン３００を発生する。ＤＵＴ２は、ビーコン３００に応答して起動（Wakeup）信号３０２を発生する。ゴールデンデバイス１１０は起動信号３０２に応答してアクナリッジ３０４を返す。続いてゴールデンデバイス１１０はエコー要求（Echo Request）３０６を発生し、これに応答してＤＵＴ２はアクナリッジ３０８を返す。続いてＤＵＴ２は、送信要求（ＲＴＳ：Request to Send）３１０を送信する。ゴールデンデバイス１１０が送信許可（ＣＴＳ：Clear to Send）３１２を与える。ＤＵＴ２は送信許可３１２に応答して、エコー応答（Echo reply）３１４を送信する。ゴールデンデバイス１１０はエコー応答３１４を受領すると、アクナリッジ３１６を返す。
【００４９】
この一連のシーケンスにおいて、ゴールデンデバイス１１０が生成するエコー要求３０６と、エコー応答３１４が、キャプチャすべき信号であり、ハッチングを付している。
【００５０】
図４の試験システム１００Ａでは、ゴールデンデバイス１１０の出力ＳＧＤのみを含む第２信号Ｓ２が監視される。そして、ビーコン３００の波形と、それに続くアクナリッジ３０４の波形を含む波形パターンが、検出対象とされる。期待パターンＰＴＮ＿ＥＸＰは、４４４μｓのハイ区間と、４６０μｓのロー区間と、２８μｓのハイ期間となる。
【００５１】
アクナリッジ３０４のパターンのネガエッジにおいて、波形パターンの一致が検出されると、それを基準とした異なるタイミングで、トリガー信号ＴＲＩＧ１、ＴＲＩＧ２がアサートされる。測定器１２０は、トリガー信号ＴＲＩＧ１に応答して、第３信号Ｓ３を取り込み、トリガー信号ＴＲＩＧ２に応答して、第１信号Ｓ１を取り込むことができる。
【００５２】
（実施例２）
図６は、実施例２に係る試験システム１００Ｂのブロック図である。この実施例では、測定器１２０Ｂは、ゴールデンデバイス１１０の出力ＳＧＤとＤＵＴ２の出力ＳＤＵＴの両方を含む第１信号Ｓ１に加えて、ゴールデンデバイス１１０の出力ＳＧＤのみを含む第３信号Ｓ３を取り込み可能に構成されている。
【００５３】
第３信号Ｓ３は、方向性結合器である分波器２１０により分岐された第２信号Ｓ２にもとづいて生成される。このためにインタフェースユニット２００Ｂには、分波器２１０により分波された第２信号Ｓ２の一部を抽出し、第３信号Ｓ３を生成する分配器２４０が設けられる。
【００５４】
第３信号Ｓ３は、第１信号Ｓ１とともに測定器１２０Ｂに供給される。測定器１２０Ｂは２チャンネルで構成される。ベクトルシグナルアナライザ１３０は、第１信号Ｓ１、第３信号Ｓ３それぞれをダウンコンバージョンし、２つのベースバンド信号ＳＢＢ＿ＤＵＴ，ＳＢＢ＿ＧＤを生成する。ベースバンド波形デジタイザ１４０は、ベースバンド信号ＳＢＢ＿ＤＵＴ，ＳＢＢ＿ＧＤそれぞれを、デジタル信号に変換する。
【００５５】
この実施例において、分配器１５０には、複数のＤＵＴ２が同時に接続される。この構成により、複数のＤＵＴ２を時分割で、あるいは同時に測定することが可能となる。
【００５６】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００５７】
（変形例１）
実施例１，２では、方向性結合器を用いて、ゴールデンデバイス１１０の出力ＳＧＤのみを含む第２信号Ｓ２を生成したがその限りでない。ゴールデンデバイス１１０の出力ＳＧＤとＤＵＴ２の出力ＳＤＵＴとで周波数が異なる場合には、方向性結合器に代えてフィルタを用いることができる。
【００５８】
（変形例２）
実施例１，２では、ゴールデンデバイス１１０の出力ＳＧＤのみを含む第２信号Ｓ２にもとづいてトリガー信号ＴＲＩＧを生成したがその限りでない。インタフェースユニット２００は、ゴールデンデバイス１１０の出力ＳＧＤとＤＵＴ２の出力ＳＤＵＴの両方を含む第２信号Ｓ２にもとづいて、トリガー信号ＴＲＩＧを生成してもよい。あるいは、インタフェースユニット２００は、ＤＵＴ２の出力ＳＤＵＴのみを含む第２信号Ｓ２にもとづいて、トリガー信号ＴＲＩＧを生成してもよい。どのような信号を監視対象とすべきかは、無線通信の規格毎に、波形パターンの検出のしやすさと正確性を考慮して決めればよい。
【００５９】
（変形例３）
実施例１，２では、有線による測定を説明したが無線によって測定してもよい。その場合、インタフェースユニット２００に、ＤＵＴ２とゴールデンデバイス１１０の間の無線通信を受信するためのアンテナを追加し、アンテナが受信した信号のパターンにもとづいてトリガー信号を生成すればよい。またアンテナが受信した信号を測定器１２０によってキャプチャすればよい。
【００６０】
実施の形態にもとづき本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００６１】
２  ＤＵＴ
１００  試験システム
１０２  コモンチャンネル
１０４  コモンパス
１０６  サブパス
１１０  ゴールデンデバイス
１２０  測定器
１３０  ベクトルシグナルアナライザ
１４０  ベースバンド波形デジタイザ
１５０  分配器
１６０  テスターコントローラ
２００  インタフェースユニット
２１０  分波器
２２０  検波器
２２２  コンパレータ
２３０  トリガー発生器
２４０  分配器
ＴＲＩＧ  トリガー信号
Ｓ０  双方向信号
Ｓ１  第１信号
Ｓ２  第２信号
Ｓ３  第３信号
【図１】
2020139870.tif 000003
【図２】
2020139870.tif 000004
【図３】
2020139870.tif 000005
【図４】
2020139870.tif 000006
【図５】
2020139870.tif 000007
【図６】
2020139870.tif 000008